(57)【要約】      （修正有）【課題】顔面部の交換を容易に行える人形を提供する。【解決手段】立体形状の人形１０であって、対象の顔面部３１を構成する顔面部材３と、顔面部材３を脱着可能に装着させる装着部材４と、を備え、装着部材４の後方から顔面部材３を前方に押圧することによって、顔面部材３が装着部材４から前方に移動するように構成されている。顔面部３１は、例えば、デジタルカメラ等の機器により取り込んだ画像データを、インクジェットプリンタ等を用いて印刷することで形成される。なお、人や動物等の顔写真シートを貼着することで顔面部３１を形成してもよい。【選択図】図１
0003144712.tif 000002
【実用新案登録請求の範囲】
【請求項１】
立体形状の人形であって、
対象の顔面部を構成する顔面部材と、
前記顔面部材を脱着可能に装着させる装着部材と、を備え、
前記装着部材の後方から前記顔面部材を前方に押圧することによって、前記顔面部材が前記装着部材から前方に移動するように構成されていることを特徴とする人形。
【請求項２】
前記顔面部材は、後面に突起部を備え、
前記装着部材は、前記突起部を係合させる孔部を備え、
前記突起部の先端部は、前記孔部に係合させた状態において前記孔部を貫通して前記装着部材の後面から突出するように構成され、
前記装着部材の後方から前記突起部の先端部を前方に押し出すことで、前記顔面部材が前記装着部材から前方に移動することを特徴とする請求項１に記載の人形。
【請求項３】
前記突起部は円柱形状であり、且つ、
前記孔部は多角形状であることを特徴とする請求項２に記載の人形。
【請求項４】
前記装着部材の後面は、綿、ビーズ、ウレタン、スポンジの少なくとも１つにより構成された軟質部材により被覆されていることを特徴とする請求項３に記載の人形。
【請求項５】
前記顔面部材は、後面に突起部を備え、
前記装着部材は、前記突起部を係合させる孔部を備え、
前記突起部の先端部は、前記孔部に係合させた状態において前記孔部の内部に位置するように構成され、
前記装着部材の後方から前記孔部に所定の棒状治具を挿入して前記突起部の先端部を前方に押し出すことで、前記顔面部材が前記装着部材から前方に移動することを特徴とする請求項１記載の人形。
【考案の詳細な説明】
【技術分野】
【０００１】
本考案は、人形に関する。
【背景技術】
【０００２】
従来、動物や人の形状を模した人形が種々存在する。これらの人形においては、例えば、顔面部などのパーツの一部を交換可能な構成としたものが知られている。
例えば、特許文献１、２には、絵や写真等の顔の画像が形成された顔面部材を、立体人形の顔部分に対し脱着可能に装着させる装着手段を備えた人形が記載されている。
【特許文献１】特開２００８−１１３９６２号公報
【特許文献２】特開２００３−２８４８７２号公報
【考案の開示】
【考案が解決しようとする課題】
【０００３】
しかしながら、上記特許文献１、２に記載の人形においては、顔面部材を交換する場合、顔の前面側からこの顔面部材を取り外す構成であるため、交換が行いづらいという問題があった。
【０００４】
本考案の課題は、顔面部の交換を容易に行える人形を提供することである。
【課題を解決するための手段】
【０００５】
請求項１に記載の考案は、
立体形状の人形であって、
対象の顔面部を構成する顔面部材と、
前記顔面部材を脱着可能に装着させる装着部材と、を備え、
前記装着部材の後方から前記顔面部材を前方に押圧することによって、前記顔面部材が前記装着部材から前方に移動するように構成されていることを特徴とする。
【０００６】
請求項２に記載の考案は、請求項１に記載の人形において、
前記顔面部材は、後面に突起部を備え、
前記装着部材は、前記突起部を係合させる孔部を備え、
前記突起部の先端部は、前記孔部に係合させた状態において前記孔部を貫通して前記装着部材の後面から突出するように構成され、
前記装着部材の後方から前記突起部の先端部を前方に押し出すことで、前記顔面部材が前記装着部材から前方に移動することを特徴とする。
【０００７】
請求項３に記載の考案は、請求項２に記載の人形において、
前記突起部は円柱形状であり、且つ、
前記孔部は多角形状であることを特徴とする。
【０００８】
請求項４に記載の考案は、請求項３に記載の人形において、
前記装着部材の後面は、綿、ビーズ、ウレタン、スポンジの少なくとも１つにより構成された軟質部材により被覆されていることを特徴とする。
【０００９】
請求項５に記載の考案は、請求項１に記載の人形において、
前記顔面部材は、後面に突起部を備え、
前記装着部材は、前記突起部を係合させる孔部を備え、
前記突起部の先端部は、前記孔部に係合させた状態において前記孔部の内部に位置するように構成され、
前記装着部材の後方から前記孔部に所定の棒状治具を挿入して前記突起部の先端部を前方に押し出すことで、前記顔面部材が前記装着部材から前方に移動することを特徴とする。
【考案の効果】
【００１０】
本考案によれば、立体形状の人形において、顔面部の交換を容易に行うことができる。
【考案を実施するための最良の形態】
【００１１】
以下、図を参照して本考案の実施の形態を説明する。
なお、本考案の人形は、全体として動物や人の形状を成すように構成された立体形状の人形であり、以下の実施形態においては、一例としてクマの形状を模して形成されている。
【００１２】
[実施形態１]
図１は、実施形態１における人形１０を示す外観図である。また、図２は、人形１０の頭部１に備えられた顔面部材３及び装着部材４を示す斜視図であり、図３は、図２に示す頭部１のIII-III線における断面図である。なお、図３では、顔面部材３が装着部材４に装着された状態を示している。
【００１３】
図１に示すように、人形１０は、左右の耳部１１Ｒ，１１Ｌを有する頭部１と、腕部２１Ｒ，２１Ｌ及び脚部２２Ｒ，２２Ｌを有する胴体部２と、を備えて構成される。
【００１４】
頭部１は、人形１０の顔面部３１を構成する顔面部材３と、この顔面部材３の後方に位置して顔面部材３を脱着可能に装着させる装着部材４と、を備えている。これら顔面部材３及び装着部材４は、例えば、各種のプラスチックや金属などにより形成されている。
【００１５】
顔面部材３は、その前面に対象となる人や動物等の顔の画像が形成されることで顔面部３１を構成する。このとき、顔面部材３の前面を人や動物等の顔の凹凸を模した曲面形状としても良い。
顔面部３１は、例えば、デジタルカメラ等の機器により取り込んだ画像データを、インクジェットプリンタ等を用いて印刷することで形成される。なお、人や動物等の顔写真シートを貼着することで顔面部３１を形成してもよい。
また、顔面部材３は、その後面の中央部に円柱形状の突起部３２を備えている。
【００１６】
装着部材４は、顔面部材３を設置させる設置部４１と、設置部４１を下方から支持する支持部４２と、頭部１を胴体部２に連結させる連結部４３と、を備えている。
【００１７】
設置部４１は、突起部３２を挿通させるための孔部５が形成された設置面４１ａと、設置面４１ａより僅かに突出して設置面４１ａの周縁を囲うように形成された周縁部４１ｂとを備えており、突起部３２を孔部５に係合させた状態において、顔面部材３の後面は、設置面４１ａと当接し、顔面部材３は、設置面４１ａ及び周縁部４１ｂにより形成される領域内に収容されるようになっている。
また、突起部３２を孔部５に係合させた状態において、突起部３２の先端部３２ａは孔部５を貫通して装着部材４の後面から突出するように構成されている。
また、孔部５は、突起部３２が内接する大きさの六角形状に形成されている。
【００１８】
また、装着部材４の後面は、綿、ビーズ、ウレタン、スポンジの少なくとも１つにより構成された軟質部材６により被覆されている。
つまり、頭部１は、全体として、中空に縫製された布の内部に、軟質部材６が詰め込まれることにより構成されている。
【００１９】
連結部４３は、水平な板状の水平部４３ａと、胴体部２の上部から胴体部２の内部に向かって差し込まれる逆三角形状の差込部４３ｂと、を備えている。
すなわち、差込部４３ｂは胴体部２に差し込まれ、頭部１が胴体部２上に設置されるようになっている。
【００２０】
また、胴体部２も、中空に縫製された布の内部に軟質部材が詰め込まれることにより構成されている。なお、差込部４３ｂを固定するため、軟質部材を比較的多量に詰め込むようにしても良い。
【００２１】
次に、人形１０における顔面部材３の着脱機構について説明する。
【００２２】
人形１０は、顔面部材３の突起部３２を装着部材４の孔部５に係合させることで、顔面部材３と装着部材４とが係合される。突起部３２は、孔部５に係合させた状態において、その先端部３２ａが孔部５を貫通して装着部材４の後面から突出する。
また、突起部３２は円柱形状であり、且つ、孔部５は六角形状であるため、係合時において突起部３２と孔部５とは６つの接点で内接し、抜け防止となる。
一方、顔面部材３を交換する場合には、人形１０の後頭部側（装着部材４の後方）から、人の指などによって突起部３２の先端部３２ａを前方に押し出すことで、顔面部材３が装着部材４から前方に移動する。
このとき、頭部１の後頭部が上記した軟質素材６で構成されているため、突起部３２の先端部３２ａを前方に押し出す場合の押し出し動作を妨げることがない。
【００２３】
以上のように、本実施形態の人形１０によれば、装着部材４の後方から顔面部材３を前方に押圧することによって、顔面部材３が装着部材４から前方に移動するように構成されている。
具体的には、顔面部材３は後面に突起部３２を備え、装着部材４は突起部３２を係合させる孔部５を備え、突起部３２の先端部３２ａは、孔部５に係合させた状態において孔部５を貫通して装着部材４の後面から突出するように構成され、装着部材４の後方から突起部３２の先端部３２ａを前方に押し出すことで、顔面部材３が装着部材４から前方に移動するようになっている。
従って、後方からの押圧により顔面部材３を頭部１から取り外すことができるため、顔面部材３の交換を容易に行うことができる。
【００２４】
また、装着部材４の後面は、綿、ビーズ、ウレタン、スポンジの少なくとも１つにより構成された軟質部材６により被覆されているため、突起部３２の先端部３２ａを前方に押し出すにあたり、この押し出し動作を妨げることがなく、顔面部材３の交換を容易に行うことができる。
【００２５】
また、突起部３２は円柱形状であり、且つ、孔部５は多角形状であるため抜けづらく、人形１０を振り回したとしても突起部３２が孔部５から不用意に外れることがない。
【００２６】
[実施形態２]
次に、本考案の実施形態２について実施形態１と異なる点を中心に説明し、同じ箇所には実施形態１と同一の符号を付して説明を省略する。
【００２７】
図４は、実施形態２における人形２０の概観図であり、図２は、人形２０の側面図である。
実施形態２の人形２０は、人形２０の顔面部７１を構成する顔面部材７と、この顔面部材７の後方に位置して顔面部材７を脱着可能に装着させる装着部材８を備えており、装着部材８は、例えば、ＰＶＣ（polyvinyl chloride）樹脂などのプラスチックによって、頭部８ａ及び胴体部８ｂが一体となるように形成されている。
【００２８】
顔面部材７は、その前面に対象となる人や動物等の顔の画像が形成されることで顔面部７１を構成し、その後面に、突起部７２を備えている。
装着部材８の頭部８ａの前面には、顔面部材７を設置する設置部８１が備えられている。
設置部８１は、顔面部材７を設置した際に顔面部材７の後面が合致するような凹形状となっており、その中央部に突起部７２を係合させるための孔部９が形成されている。
孔部９は、頭部８ａの後面まで貫通するように形成されている。
また、突起部７２は、孔部９を係合させた状態において、突起部７２の先端部７２ａが孔部９の内部に位置する長さとなるように形成されている。
【００２９】
次に、人形２０における顔面部材７の着脱機構について説明する。
人形２０は、顔面部材７の突起部７２を装着部材８の孔部９に係合させることで、顔面部材７と設置部８１が係合される。突起部７２は、孔部９に係合させた状態において、その先端部７２ａが孔部９の内部に位置している。
一方、顔面部材７を交換する場合には、装着部材８の頭部８ａの後方から、孔部９に所定の棒状治具３０を挿入して突起部７２の先端部７２ａを前方に押し出すことで、顔面部材７が設置部８１から前方に移動する。
【００３０】
以上のように、本実施形態の人形２０によれば、装着部材８の頭部８ａの後方から顔面部材７を前方に押圧することによって、顔面部材７が頭部８ａから前方に移動するように構成されている。
具体的には、顔面部材７は後面に突起部７２を備え、設置部８１は突起部７２を係合させる孔部９を備え、突起部７２の先端部７２ａは、孔部９に係合させた状態において孔部９の内部に位置するように構成され、装着部材８の頭部８ａの後方から孔部９に所定の棒状治具３０を挿入して突起部７２の先端部７２ａを前方に押し出すことで、顔面部材７が頭部８ａから前方に移動するようになっている。
従って、後方からの押圧により顔面部材７を頭部８ａから取り外すことができるため、顔面部材７の交換を容易に行うことができる。
【００３１】
なお、上記実施形態１、２においては、孔部５、９は六角形状として説明したが、これに限定されるものではなく、多角形であればよい。例えば、五角形状や八角形状であったとしても同様の効果を得ることができる。
また、上記実施形態１、２においては、突起部３２、７２、及び孔部５、９を１つずつ備えた構成として説明したが、これらを複数備えていても良い。
【図面の簡単な説明】
【００３２】
【図１】本考案の実施形態１における人形の外観図である。
【図２】図１に示す人形の頭部に備えられた装着部材を示す斜視図である。
【図３】図２に示す頭部のIII-III線における断面図である。
【図４】本考案の実施形態２における人形の外観図である。
【図５】図４に示す人形の側面図である。
【符号の説明】
【００３３】
１０  人形
１  頭部
２  胴体部
３  顔面部材
３１  顔面部
３２  突起部
３２ａ  先端部
４  装着部材
４１  設置部
４１ａ  設置面
４１ｂ  周縁部
４２  支持部
４３  連結部
４３ａ  水平部
４３ｂ  差込部
５  孔部
６  軟質部材
２０  人形
７  顔面部材
７１  顔面部
７２  突起部
７２ａ  先端部
８  装着部材
８ａ  頭部
８ｂ  胴体部
８１  設置部
９  孔部
３０  棒状治具
【図１】
0003144712.tif 000003
【図２】
0003144712.tif 000004
【図３】
0003144712.tif 000005
【図４】
0003144712.tif 000006
【図５】
0003144712.tif 000007